(57)【要約】【課題】  取り付けが簡単で収納庫内部を効率的に照明可能な照明設備を提供すること。【解決手段】側面開口部１１がシャッタ１４で開閉される車両搭載の物品収納庫５において、シャッタ案内用のガイドレール１５の内側に、庫内を照らす照明灯２７を取付ける。【選択図】  図１
2006224723.tif 000002
【特許請求の範囲】
【請求項１】
側面開口部が、前記開口部の両側に立設した一対のガイドレールに案内されるシャッタで開閉される車両用物品収納庫において、前記ガイドレールの内側に、前記物品収納庫の内部を照らす照明灯を取付けたことを特徴とする車両用物品収納庫の照明設備。
【請求項２】
前記照明灯がＬＥＤを配置した基板を有し、前記基板を、前記ガイドレールの内側面に上下方向に連続的に一体形成した溝部に対して摺動自在に係合させたことを特徴とする請求項１に記載の車両用物品収納庫の照明設備。
【請求項３】
前記基板の上下方向端部から配線用第１コネクタを導出するとともに、前記ガイドレールの内側溝部に照明灯用スイッチを配設し、前記照明灯用スイッチから導出した第２コネクタを前記第１コネクタに接続したことを特徴とする請求項２に記載の車両用物品収納庫の照明設備。
【発明の詳細な説明】
【技術分野】
【０００１】
本発明は、消防自動車、レスキュー車、電話工事など各種作業用の作業車、あるいは陳列販売用車両等において、キャビン後方に架装される物品収納庫の内部を照明するための照明設備に関する。
【背景技術】
【０００２】
消防自動車、レスキュー車、電話工事など各種作業用作業車、あるいは陳列販売用車両等では、キャビン後方のシャーシ上に物品収納庫を架装する。この物品収納庫内に、レスキュー車であれば油圧切断機、油圧スプレッダー、酸素吸入器、救助用ロープ、応急処置用セット、チェーンソー、小型発電機など各種救助用資機材を収納する。また、電話工事作業車では各種工具や電話ケーブル等の作業用資機材、食品陳列販売用車両では各種食材等を収納する。物品収納庫の側面には収納物を出し入れするための開口部が設けられ、この開口部は通常巻き上げ式のシャッタにて開閉される（特許文献１、２参照）。
【特許文献１】特開２００４−３５３２６０号公報
【特許文献２】特開２００１−１３９２９９号公報
【発明の開示】
【発明が解決しようとする課題】
【０００３】
物品収納庫の内部は水平な棚によって多段に区画されることが多い。従来の物品収納庫には照明設備がないものも多く、外部の光が収納庫の奥まで届きにくい。このため、収納物の視認性が必ずしもよいとはいえず、収納物の取出しに手間取ることがあった。また、照明設備を備えた物品収納庫でも、照明灯が収納庫のやや奥側内壁面に１〜２箇所固設されているだけであり、各棚間に照明光が十分行き届くような構造にはなっていない。棚の数だけ照明灯を配設すれば各棚間を十分照明することも可能ではあるが、照明灯の取付位置が収納庫の奥側という作業しにくい位置関係もあって、照明灯の取付け作業に長時間を要する。
【０００４】
本発明の目的は、取付けが簡単で収納庫内部を効率的に照明可能な照明設備を提供することにある。
【課題を解決するための手段】
【０００５】
請求項１記載の発明では、側面開口部が、前記開口部の両側に立設した一対のガイドレールに案内されるシャッタで開閉される車両用物品収納庫において、前記ガイドレールの内側に、前記物品収納庫の内部を照らす照明灯を取付けた。
【０００６】
物品収納庫のシャッタのガイドレール内側領域は、物品収納スペースとしては有効に利用されないデッドスペースとなっている場合が殆どである。この領域は、物品収納庫の外側からは直接目視しにくい部分であり、かつ、物品の出し入れの際に物品がガイドレールと干渉してスムーズな出し入れができないからである。このデッドスペースを照明灯の最適配設位置として有効利用したのが本発明である。
【０００７】
ガイドレール内側領域であれば庫外からでも容易に手が届くから、照明灯の取付け作業に何ら支障がなく作業を簡単迅速に行える。また照明灯は物品を当てると損傷しやすいが、ガイドレール内側領域は物品を出し入れする際に物品が通過する領域ではないから、物品出し入れ時に照明灯に物品を不測に当てて損傷するといった心配がない。加えて、ガイドレール内側領域に照明灯を取付けると、庫内を手前側から奥側に向かって照明することができ、この照明方向が庫外からの目視方向と一致することから収納物を見やすい効果的な照明が可能である。
【０００８】
請求項２記載の発明では、請求項１記載の発明において、前記照明灯がＬＥＤを配置した基板を有し、前記基板を、前記ガイドレールの内側に上下方向に連続的に一体形成した溝部に対して摺動自在に係合させた。
【０００９】
この構成により、基板の高さ位置を自在に調節可能であるから、照明灯の取付け作業がさらに容易になる。また、基板に配線を組み込むことが出来るので、装置をコンパクトに構成できる。
【００１０】
請求項３記載の発明では、請求項２記載の発明において、前記基板の上下方向端部から配線用第１コネクタを導出するとともに、前記ガイドレールの内側溝部に照明灯用スイッチを配設し、前記照明灯用スイッチから導出した第２コネクタを前記第１コネクタに接続した。
【００１１】
この構成により、スイッチと基板間の配線作業が簡単に行える。また、複数の基板を使用する場合、基板相互間の配線作業が容易になる。
【発明の効果】
【００１２】
本発明はシャッタのガイドレールの内側に照明灯を取付けたものであるが、ガイドレール内側領域は庫外からでも容易に手が届くから、照明灯の取付け作業が簡単迅速になる。また、ガイドレール内側領域は物品を出し入れする際に邪魔にならないから、物品出し入れ時に照明灯に物品を不測に当てて損傷することがない。さらに、ガイドレール内側領域に照明灯を取付けると、庫内を手前側から奥側に向かって照明することができ、収納物が見やすい効果的な照明が可能となる。
【発明を実施するための最良の形態】
【００１３】
以下、本発明の照明設備をレスキュー車の物品収納庫に適用した実施の形態を、図１〜図７を参照して説明する。
【００１４】
図２はレスキュー車１の一例を示す。このレスキュー車１は、車体２の前部にあって運転手や作業者が搭乗するキャビン３と、このキャビン３の後部にあってシャーシ上に架装した物品収納庫５を有する。
【００１５】
物品収納庫５は、ステンレス、アルミニュウム、鋼板等によって箱形に構成される。物品収納庫５の庫内４は、図３で示すように、上下方向に延びた仕切壁６により例えば３つの区画室７，８，９に区画される。各区画室７，８，９は、棚１０でさらに上下方向複数段に区画される。棚１０および区画室７，８，９の底面に、救助活動に必要な各種作業用資機材を載置する。
【００１６】
物品収納庫５の開口部１１の縁、すなわち図１の物品収納庫５の外壁１２の端部は、断面略ロ字状に折り曲げて補強部１３とされる。開口部１１は、上下動可能なシャッタ１４によって開閉される。開口部１１の左右両側に、一対の鉛直なガイドレール１５が補強部１３に沿って立設される（図３、図４、図５参照）。
【００１７】
シャッタ１４は、水平横長のパネル１６を多数連設して成るよろい戸を手動または電動で上下動可能にしたものであって、図４に示すように、物品収納庫５の天井に巻取り装置１７が配設される。巻取り装置１７は、巻取りドラム１８、巻取りドラム１８とシャッタ１４を連接する巻取りベルト１９、一対のガイドレール１５の上端に設置したガイドローラ２０等から構成される。巻取りドラム１８には、シャッタ１４を巻き上げ方向に附勢する巻ばね（図示せず）が内蔵される。
【００１８】
シャッタ１４は、手動で上下動する型式では、その最下端のパネル１６ａの前面に横長の操作ハンドル２１が取付けられる。
【００１９】
一対のガイドレール１５は断面一定のアルミ押出材であって、シャッタ１４のパネル１６の側部を摺動自在に案内するための上下方向に延びた溝状のレール部２２と、レール部２２より外側（図１の下側）に形成された２つの溝部２５，２６を有する。溝部２５，２６に、ゴム製のガスケット２３，２４が嵌合される。このガスケット２３，２４は、ガイドレール１５と補強部１３との外側隙間、およびガイドレール１５とシャッタ１４外面との外側隙間をシールし、雨水、雪および埃の侵入を防止する。
【００２０】
ガイドレール１５の庫内側側面に、照明灯２７を取付けるための一対の案内溝２８が長手方向（縦方向）に一体形成される。この案内溝２８は連続して形成しているが、照明灯２７が取付けられればよいので、溝でなく平面に形成されていて爪や、孔に照明灯を引っ掛けやねじで固定する構造や、或いは一対の突部に照明灯から突出する弾性部材を弾性力で係合させる構造を取ることもある。
【００２１】
照明灯２７は、複数のＬＥＤ２９を取付けた基板３０を有する。複数のＬＥＤ２９は、基板３０の庫内側側面において縦一列で等間隔に配設される。ＬＥＤ２９の種類としては、白色ＬＥＤ、あるいは赤，緑，青のＬＥＤの同時発光で白色光が得られるものとする。基板３０はガイドレール１５の長手方向に沿って所定長を有する長方形をなし、ＬＥＤ側が保護カバー３１で覆われる。基板３０は、樹脂製の取付板３２に対して所定の隙間３３を明けて配置される。取付板３２は基板３０と同一形状を成し、保護カバー３１の端部に一体連結される。
【００２２】
保護カバー３１は、透明な合成樹脂より断面略Ｕ字状に形成され、相対向する面に基板３０の端部が挿入される挿入溝３４が形成される。基板３０は、保護カバー３１の短辺側から挿入溝３４に差込むか、保護カバー３１の弾力性を利用して、保護カバー３１を拡げて挿入溝３４に基板３０の端部を挿入する。保護カバー３１は、レンズ機能を兼ね備えたダイヤモンドカットを施した拡散板を用いるのがよい。保護カバー３１の短辺側すなわち上下両端は開口しているので、保護キャップ３５で覆う。この保護キャップ３５の小孔から基板３０の上下両端と接続されたリード線３６を導出する。リード線３６はＬＥＤへの電源供給用であって、一方には雄型コネクター３７、他方には雌型コネクター３８が接続される。リード線３６は、白色ＬＥＤを用いる場合は少なくとも２本、赤,緑，青のＬＥＤを用いる場合は少なくとも４本となる。
【００２３】
照明灯２７のガイドレール１５への取付は、取付板３２をその幅方向の弾性を利用して案内溝２８に嵌め込むことにより行う。これにより、取付板３２が案内溝２８からの抜け止めとして作用する。照明灯２７を取付板３２の弾性のみで位置決め固定することも可能であるが、より確実な固定のため、照明灯２７の上下両端側に配設したねじ３９を締付ける。ねじ３９の先端を案内溝２８の底面に押付けることにより、取付板３２の左右両縁部を案内溝２８の壁２８ａと圧着させて照明灯２７を固定する。
【００２４】
照明灯２７を取付板３２と案内溝２８の圧着により取付ける代わりに、取付板３２を無くし、図８に示すように、保護カバー３１の端部に形成した爪３１ｂを案内溝２８に挿入して直接取付けることもできる。なお、保護カバー３１の挿入溝３４の位置を異ならせて基板３０を斜めにし、基板３０を図８で右上、すなわち、収納室の対角線上の隅部側へ傾斜させる。この場合、ねじ３９を締付けることにより、爪３１ｂと壁２８ａとを当接させて照明灯２７を固定できる。
【００２５】
照明灯２７は、図７に示すように、複数の照明灯２７をつなぎ合わせてもよい。その場合、一方の照明灯２７の雌型コネクター３８に他方の照明灯２７の雄型コネクター３７を接続する。雄型コネクター３７，雌型コネクター３８の接続部は、作業用資機材が当って接続部を破損したり切断したりするのを防止するために、保護カバー３１と同形状の保護カバー３１ａで覆うことが望ましい。照明灯２７を長手方向に連結して接続する場合は、ＬＥＤ２９を並列接続することにより、電流を調整するだけで簡単に増設できる。
【００２６】
照明灯２７をねじ３９で固定する場合は、収納庫５内の棚１０の配設状況等に応じて照明灯２７の高さ位置を上下に位置調整できる。このため、必要最小数の照明灯２７で効果的な庫内照明を実現でき、庫内視認性を改善できる。
【００２７】
照明灯２７をＯＮ，ＯＦＦするスイッチ４０は、図５、図６に示すように、ガイドレール１５の溝状レール部２２の下端側に設置する。シャッタ１４の移動軌跡内へ作動ピン４１を突出させ、シャッタ１４閉鎖時にシャッタ１４の最下端のパネル１６ａの一端を作動ピン４１と当接させ、この作動ピン４１でスイッチ４０をＯＮ，ＯＦＦさせる。
【００２８】
スイッチ４０には雌型コネクター４２が取付けられていて、この雌型コネクター４２を前述の照明灯２７に取付けた雄型コネクター３７と接続する。照明灯２７やスイッチ４０には、レスキュー車１の２４Ｖ直流電源をそのまま供給する。
【００２９】
スイッチ４０は、マイクロスイッチを用いたが、フォトスイッチやリードスイッチ等を用いてもよい。また、スイッチ４０の取付位置は、ガイドレール１５の下方に設けたが、ガイドレール１５の上方に設けてもよい。スイッチ４０をガイドレール１５の下方に取付けた場合はシャッタ１４を開け始めた時に照明灯２７が点灯する。スイッチ４０をガイドレール１５の上方に取付けた場合はシャッタ１４を開け終わった時に照明灯２７が点灯する。通常はガイドレール１５の下方にスイッチ４０を設ける。スイッチ４０はシャッタ１４の開閉で自動的にＯＮ，ＯＦＦさせる他、シャッタ１４の開閉とは関係なく、手動で任意にＯＮ，ＯＦＦさせ得るようにしてもよい。シャッタ１４を長時間開けたままにしておく場合はむしろ手動スイッチの方が都合がよい。
【００３０】
以下、照明灯２７の点灯と消灯をシャッタ１４の開閉と関連付けて説明する。図２はシャッタ１４を閉じた状態を示し、この時シャッタ１４の最下端のパネル１６ａは開口部１１の底面に当接している。最下端のパネル１６ａの一端は、スイッチ４０の作動ピン４１を押込んでスイッチ４０をＯＦＦ作動させ照明灯２７を消灯させた状態になっている。この図２の状態から、操作ハンドル２１を利用してシャッタ１４を手で押し上げると、垂直なシャッタ１４の上部がガイドローラ２０で略水平な方向にガイドされて巻取りドラム１８に巻き取られ、図３、図５で示すように、最下端のパネル１６ａが最上位まで上昇して開口部１１を全開する。シャッタ１４を開け始めた時に、最下端のパネル１６ａと作動ピン４１の当接が解除されるので、スイッチ４０がＯＮ作動して照明灯２７を点灯する。
【００３１】
照明灯２７が点灯すると、ＬＥＤ２９の光が収納庫５の開口部１１の手前側から奥側に向かって照射され、各棚１０の奥の方に収納した作業用資機材まで十分に照明する。したがって作業用資機材を迅速に取出すことができ、レスキュー活動を円滑に遂行することができる。また、作業用資機材を収納する場合も、棚１０の上の空きスペースを容易に視認することができるから、収納位置を容易に決定して他の物品に衝突させることなくスムーズに収納を完了することができる。
【００３２】
なお。ＬＥＤ２９の光を棚１０の中央側に寄せる必要がある場合は、図８に示すように、照明灯２７をガイドレール１５に傾斜させて取付けてもよい。
【００３３】
作業が終了してシャッタ１４を閉める場合は、操作ハンドル２１を利用して全開位置のシャッタ１４を手で押し下げる。これにより、シャッタ１４が巻取りドラム１８から繰り出されてガイドレール１５のレール部２２に沿って下降し、開口部１１が閉じられる。シャッタ１４を閉めると、最下端のパネル１６ａの一端が作動ピン４１を押込み、作動スイッチ４０をＯＦＦ作動させて照明灯２７が消灯する。
【００３４】
次に第２の実施形態を図９、図１０を用いて説明する。この実施形態は第１の実施形態の照明灯２７と取付構造が異なる。すなわち、この第２の実施形態では照明灯２７の取付板３２の裏側に磁石５１付きの裏板５２を取付ける。裏板５２はその両側縁に形成した左右一対の爪５２ａを取付板３２の側壁３２ａに係合させることにより取付板３２に取付けられる。磁石５１は裏板５２の裏面に接着剤等で固定される。この実施形態では、照明灯２７は磁石５１により、図１０に示すように、ガイドレール１５の内側に限らず、収納庫５の外壁１２の庫内側適所、あるいは外壁１２の支柱１３の内面側など、任意の位置に取付け可能である。この場合、照明灯２７のＯＮ、ＯＦＦは、第１の実施形態と同じようにスイッチ４０に接続して行う。照明灯２７は磁石５１で取付ける他、両面接着テープで取付けることも可能である。
【００３５】
図９と図１０では照明灯２７に取付板３２を使用したが、取付板３２を使わずに、図８の保護カバー３１と案内溝２８のように、保護カバー３１の端部に爪３１ｂを形成し、この爪３１ｂを裏板５２の爪５２ａに係合させてもよい。
【００３６】
以上、本発明の実施形態について説明したが、本発明は前記実施形態に限定されることなく種々の変形が可能である。例えば前記実施形態では照明灯にＬＥＤ２９を使用したがＬＥＤ２９に代えて図１１のように蛍光灯６１を使用してもよい。この場合、蛍光灯６１の外周を略Ｕ字状の保護カバー６２で覆い、保護カバー６２の自由端側に外方へ延びた爪６３を設けて、ガイドレール１５の挿入溝３４へ挿入固定する。蛍光灯６１はＬＥＤ２９に比べて寸法的に大きくなるが、照明効果が大きく庫内がより見やすくなると共に、光の指向性がないので庫内の隅々まで照明できる。また、照明灯は、ＬＥＤや蛍光灯に限定されることなく光源であればよい。
【図面の簡単な説明】
【００３７】
【図１】本発明の第１の実施形態を示す照明設備の断面図である。
【図２】本発明の照明設備を適用するレスキュー車の側面図である。
【図３】側面開口部を開いた状態のレスキュー車の収納庫の側面図である。
【図４】側面開口部がシャッタで閉じられた状態の概念斜指図である。
【図５】シャッタを巻上げて側面開口部を開いた状態で示すガイドレールの側面図である。
【図６】ガイドレール、照明灯およびスイッチの位置関係を示す斜視図である。
【図７】照明灯を複数配置した場合の図６と同様の斜視図である。
【図８】本発明の変形例を示す図１と同様の断面図である。
【図９】本発明の第２の実施形態を示す照明灯の断面図である。
【図１０】本発明の第２の実施形態を示す図１と同様の断面図である。
【図１１】本発明の変形例を示す照明設備の断面図である。
【符号の説明】
【００３８】
１        レスキュー車
２        車体
１１      開口部
１３      補強部
１４      シャッタ
１５      ガイドレール
２２      レール部
２７      照明灯
３７，３８  コネクタ
４０    スイッチ
【図１】
2006224723.tif 000003
【図２】
2006224723.tif 000004
【図３】
2006224723.tif 000005
【図４】
2006224723.tif 000006
【図５】
2006224723.tif 000007
【図６】
2006224723.tif 000008
【図７】
2006224723.tif 000009
【図８】
2006224723.tif 000010
【図９】
2006224723.tif 000011
【図１０】
2006224723.tif 000012
【図１１】
2006224723.tif 000013